(57)【要約】      （修正有）【課題】  解除部材を有していても、ハブの肉厚を厚く成形することができて高容量化に対応でき、かつ、その解除部材等の成形性も損なわないようにする。【解決手段】  不使用時に、ハブ２２内に形成された係合部４８と係合して、リール２０の回転を阻止する制動部材８０と、ハブ２２の底部２８と制動部材８０との間に設けられるとともに、リールギア上に形成された複数の貫通孔２９に挿通される複数の脚部９４を有し、使用時に、ドライブ装置の駆動ギアによって脚部９４が押し上げられることにより、制動部材８０を押し上げて係合部４８との係合を解除しつつ、リール２０と共に回転する解除部材９０と、を備えた記録テープカートリッジ１０において、脚部９４を、ハブ２２の内周面２２Ａと対向する外面９４Ａ側が平面とされた平面視略「Ｄ」字状に形成するとともに、貫通孔２９を、脚部９４が挿通可能な平面視略「Ｄ」字状に形成する。【選択図】      図２
2006228350.tif 000002
【特許請求の範囲】
【請求項１】
リールギアが形成された有底円筒状のハブを有し、該ハブの外周面に記録テープが巻装されたリールと、
前記リールを単一で回転可能に収容するケースと、
前記ケースに対して回転不能とされるとともに前記ハブ内に設けられ、不使用時に、該ハブ内に形成された係合部と係合して、前記リールの回転を阻止する制動部材と、
前記ハブの底部と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する解除部材と、
を備えた記録テープカートリッジにおいて、
前記脚部を、前記ハブの内周面と対向する外面側が平面とされた平面視略「Ｄ」字状に形成するとともに、前記貫通孔を、前記脚部が挿通可能な平面視略「Ｄ」字状に形成したことを特徴とする記録テープカートリッジ。
【請求項２】
リールギアが形成された有底円筒状のハブを有し、該ハブの外周面に記録テープが巻装されたリールと、
前記リールを単一で回転可能に収容するケースと、
前記ケースに対して回転不能とされるとともに前記ハブ内に設けられ、不使用時に、該ハブ内に形成された係合部と係合して、前記リールの回転を阻止する制動部材と、
前記ハブの底部と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する解除部材と、
を備えた記録テープカートリッジにおいて、
前記脚部を、前記ハブの内周面と対向する外面側が該ハブの内周面と平行な曲面とされた平面視略「Ｄ」字状に形成するとともに、前記貫通孔を、前記脚部が挿通可能な平面視略「Ｄ」字状に形成したことを特徴とする記録テープカートリッジ。
【請求項３】
リールギアが形成された有底円筒状のハブを有し、該ハブの外周面に記録テープが巻装されたリールと、
前記リールを単一で回転可能に収容するケースと、
前記ケースに対して回転不能とされるとともに前記ハブ内に設けられ、不使用時に、該ハブ内に形成された係合部と係合して、前記リールの回転を阻止する制動部材と、
前記ハブの底部と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する解除部材と、
を備えた記録テープカートリッジにおいて、
前記脚部を、前記ハブの内周面と対向する外面側の曲率半径が内面側の曲率半径の２倍以上とされた平面視略「Ｄ」字状に形成するとともに、前記貫通孔を、前記脚部が挿通可能な平面視略「Ｄ」字状に形成したことを特徴とする記録テープカートリッジ。
【発明の詳細な説明】
【技術分野】
【０００１】
本発明は、主にコンピューター等の記録再生媒体として使用される磁気テープ等の記録テープをケース内に収容してなる記録テープカートリッジに関する。
【背景技術】
【０００２】
従来から、コンピューター等のデータ記録再生媒体として使用されている磁気テープ等の記録テープを単一のリールに巻装し、そのリールをケース内に収容してなる記録テープカートリッジが知られている。このような記録テープカートリッジは、不使用時において、リールがケース内で回転しないように、ブレーキ手段を備えている。
【０００３】
すなわち、リールは、有底円筒状に形成されたリールハブを備えており、そのリールハブ内にブレーキ手段としての制動部材が、ケースに対して回転不能に、かつ下方に向けて付勢された状態で設けられている。この制動部材は樹脂材で成形され、その下面には制動ギアが形成されており、この制動ギアがリールハブ内に形成されている係合ギアと噛合することで、リールの回転を阻止するようになっている。
【０００４】
また、そのリールハブの底壁と制動部材との間には、樹脂材で成形された平面視略三角形状の解除部材が設けられており、この解除部材の上面中央に制動部材の下面中央が当接するようになっている。そして、この解除部材の各頂点部分には、リールギア上に穿設された貫通孔に挿通されてリールハブの底壁の下面から所定高さ突出する脚部が突設されている。
【０００５】
したがって、記録テープカートリッジがドライブ装置に装填されると、ドライブ装置の回転シャフトに形成されている駆動ギアがリールギアに噛合する動作に伴って、その解除部材（脚部）を介して制動部材が押し上げられ、係合ギアに対する制動ギアの噛合が解除される。これにより、リールの回転が許容され、解除部材はリールと共に回転する（例えば、特許文献１参照）。
【０００６】
このような構成の記録テープカートリッジにおいて、リールギア上に穿設される貫通孔は、一般に円形か、周方向に長い長方形とされている。したがって、解除部材の脚部の形状も、円柱状か、四角柱状に形成されている。脚部が四角柱状とされた解除部材の場合は、入子を使用して成形することになるため、金型の加工が容易ではなく、成形品にバリが発生しやすくなる欠点がある。
【０００７】
これに対し、脚部が円柱状とされた解除部材の場合は、入子を使用する必要がないため、金型の加工が容易であり、かつ、金型での成形時に、制動部材が当接する中央部分から外方に向かって流される樹脂材の流動性（成形性）も良好となる利点があるが、その大きさが四角柱状の脚部よりも大きくなるという問題がある。
【０００８】
すなわち、近年の記録テープカートリッジでは、記録容量の高容量化に伴い、記録テープが巻回されるリールハブの剛性（リールハブの倒れ込み変形）が問題となってきており、リールハブの肉厚を増加させるなどの対策が考えられている。リールハブの肉厚を増加させる場合、容量確保のため、内側（リールハブの中心）に向かって厚く成形することになるが、解除部材を有する記録テープカートリッジの場合、脚部を挿通させる貫通孔が円形であると、リールハブの厚肉化に限界が生じる。
【特許文献１】特開平１１−３５３８５０号公報
【発明の開示】
【発明が解決しようとする課題】
【０００９】
そこで、本発明は、解除部材を有していても、ハブの肉厚を厚く成形することができて高容量化に対応でき、かつ、その解除部材等の成形性も損なわないようにできる記録テープカートリッジを得ることを目的とする。
【課題を解決するための手段】
【００１０】
上記の目的を達成するために、本発明に係る請求項１に記載の記録テープカートリッジは、リールギアが形成された有底円筒状のハブを有し、該ハブの外周面に記録テープが巻装されたリールと、前記リールを単一で回転可能に収容するケースと、前記ケースに対して回転不能とされるとともに前記ハブ内に設けられ、不使用時に、該ハブ内に形成された係合部と係合して、前記リールの回転を阻止する制動部材と、前記ハブの底部と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する解除部材と、を備えた記録テープカートリッジにおいて、前記脚部を、前記ハブの内周面と対向する外面側が平面とされた平面視略「Ｄ」字状に形成するとともに、前記貫通孔を、前記脚部が挿通可能な平面視略「Ｄ」字状に形成したことを特徴としている。
【００１１】
そして、本発明に係る請求項２に記載の記録テープカートリッジは、リールギアが形成された有底円筒状のハブを有し、該ハブの外周面に記録テープが巻装されたリールと、前記リールを単一で回転可能に収容するケースと、前記ケースに対して回転不能とされるとともに前記ハブ内に設けられ、不使用時に、該ハブ内に形成された係合部と係合して、前記リールの回転を阻止する制動部材と、前記ハブの底部と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する解除部材と、を備えた記録テープカートリッジにおいて、前記脚部を、前記ハブの内周面と対向する外面側が該ハブの内周面と平行な曲面とされた平面視略「Ｄ」字状に形成するとともに、前記貫通孔を、前記脚部が挿通可能な平面視略「Ｄ」字状に形成したことを特徴としている。
【００１２】
また、本発明に係る請求項３に記載の記録テープカートリッジは、リールギアが形成された有底円筒状のハブを有し、該ハブの外周面に記録テープが巻装されたリールと、前記リールを単一で回転可能に収容するケースと、前記ケースに対して回転不能とされるとともに前記ハブ内に設けられ、不使用時に、該ハブ内に形成された係合部と係合して、前記リールの回転を阻止する制動部材と、前記ハブの底部と前記制動部材との間に設けられるとともに、前記リールギア上に形成された複数の貫通孔に挿通される複数の脚部を有し、使用時に、ドライブ装置の駆動ギアによって該脚部が押し上げられることにより、該制動部材を押し上げて前記係合部との係合を解除しつつ、前記リールと共に回転する解除部材と、を備えた記録テープカートリッジにおいて、前記脚部を、前記ハブの内周面と対向する外面側の曲率半径が内面側の曲率半径の２倍以上とされた平面視略「Ｄ」字状に形成するとともに、前記貫通孔を、前記脚部が挿通可能な平面視略「Ｄ」字状に形成したことを特徴としている。
【００１３】
請求項１乃至請求項３に記載の発明によれば、脚部の形状を、ハブの内周面に対向する外面側がカットされた平面視略「Ｄ」字状に形成し、それに合わせて貫通孔の形状もハブの内周面側がカットされた平面視略「Ｄ」字状に形成したので、ハブの肉厚を内側（ハブの中心）に向かって厚く成形することができる。したがって、ハブの剛性を確保することが可能となり、解除部材を有する記録テープカートリッジであっても高容量化に対応することができる。また、脚部の内面側及び貫通孔の内側（ハブの中心側）は、今まで通りの曲率半径とされた曲面（円弧面）のままなので、成形性（樹脂材の流動性）が損なわれる不具合がない。
【発明の効果】
【００１４】
以上のように、本発明によれば、解除部材を有していても、ハブの肉厚を厚く成形することができて高容量化に対応でき、かつ、その解除部材等の成形性も損なわないようにできる記録テープカートリッジを提供することができる。
【発明を実施するための最良の形態】
【００１５】
以下、本発明の最良な実施の形態を図面に示す実施例に基づいて詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。
【００１６】
図１乃至図３で示すように、記録テープカートリッジ１０は、略矩形箱状のケース１２を有している。このケース１２は、ＰＣ等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やねじ止め等によって接合されて構成されている。
【００１７】
ケース１２の内部には、リール２０が１つだけ回転可能に収容される。このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１８】
また、リールハブ２２の底壁２８の下面には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト１００（図９参照）に形成された駆動ギア１０２に噛合されて回転駆動されることにより、ケース１２内において、リール２０がケース１２に対して相対回転可能とされる。
【００１９】
また、底壁２８の下面におけるリールギア４４の径方向内側には、磁性材より成る環状のリールプレート４６がインサート成形等により固着されており、ドライブ装置の回転シャフト１００に設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００２０】
また、ケース１２の右壁１２Ｂには、リール２０に巻装された記録テープＴを引き出すための開口１８が形成されており、この開口１８から引き出される記録テープＴの自由端部には、ドライブ装置の引出部材によって係止（係合）されつつ引き出し操作されるリーダーピン３０が固着されている。
【００２１】
リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２２】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２３】
また、ピン保持部３６の近傍には、板ばね３８が固定配置されるようになっており、この板ばね３８の二股状の先端部がリーダーピン３０の上下両端部３４にそれぞれ係合してリーダーピン３０をピン保持部３６に保持するようになっている。なお、リーダーピン３０がピン保持部３６に出入する際には、板ばね３８の先端部は適宜弾性変形してリーダーピン３０の移動を許容する構成である。
【００２４】
また、その開口１８は、ドア５０によって開閉される。このドア５０は、図４で詳細に示すように、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２５】
また、ドア５０の後端部中央には、シャフト５２が突設されており、そのシャフト５２には、コイルばね５８が挿嵌されている。そして、シャフト５２の後端には、そのコイルばね５８を脱落防止とする拡開部５４が形成されている。また、下ケース１６には、そのシャフト５２に挿嵌されたコイルばね５８の後端を係止する係止部６２を有する支持台６０が突設されている。
【００２６】
したがって、ドア５０は、シャフト５２が支持台６０上に摺動自在に支持されるとともに、コイルばね５８の後端が係止部６２に係止されることにより、そのコイルばね５８の付勢力によって、常時開口１８の閉塞方向へ付勢される構成である。なお、開口１８の開放時、シャフト５２を支持する支持台６６を支持台６０の後方側に更に突設しておくことが好ましい。
【００２７】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルばね５８の付勢力に抗して開放される構成である。
【００２８】
また、図２、図３で示すように、ケース１２の左後部には、記録テープＴへの記録可・不可が設定されるライトプロテクト７０が左右方向にスライド可能に設けられており、ケース１２の後壁には、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００２９】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようにしている。なお、この突部７４は下ケース１６の下面から突出することはない。
【００３０】
また、図６で詳細に示すように、リールハブ２２の底壁２８の上面周縁には、係合ギア４８が所定の間隙を隔てて等間隔に複数（例えば、１２０度間隔で３個）立設されており、その係合ギア４８の間で、リールギア４４上となる所定位置には、貫通孔２９が複数（この場合は、１２０度間隔で３個）穿設されている。そして、そのリールハブ２２の内部には、樹脂材で成形された円板状の制動部材８０が挿設される。
【００３１】
図２、図３で示すように、制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３２】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３３】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３４】
また、リールハブ２２の内部で、かつ制動部材８０の下側（底壁２８と制動部材８０との間）には、樹脂材で成形された平面視略三角形状の解除部材９０が挿設される。解除部材９０には、図５で詳細に示すように、適宜位置に所定の形状とされた貫通孔９２が複数（図示のものは六角形状とされて３つ）穿設されており、解除部材９０の軽量化が図られている。
【００３５】
また、解除部材９０の下面で、かつ各頂点部分には、貫通孔２９に挿通されて底壁２８の下面からリールギア４４上に所定高さ突出する脚部９４が突設されており、解除部材９０の平面とされた上面９０Ａ中央に、制動部材８０の下面８０Ａ中央に突設された略半球状の解除突起８２が当接するようになっている（図２、図３参照）。
【００３６】
このような構成とすることにより、制動部材８０と解除部材９０との接触面積を極力低減し、使用時（リール２０の回転時）における摺動抵抗を極力軽減するようにしている。なお、制動部材８０の材質としては、例えばＰＯＭ（ポリアセタール）が用いられ、解除部材９０の材質としては、例えばＰＢＴ（ポリブチレンテレフタレート）が用いられる。また、解除部材９０には、圧縮コイルスプリング９８の付勢力により、制動部材８０側から、例えば４．２Ｎの荷重が掛けられている。
【００３７】
また、図５で詳細に示すように、解除部材９０の脚部９４は、リールハブ２２の内周面２２Ａ（図６（Ａ）参照）に対向する外面９４Ａ側が平面とされた平面視略「Ｄ」字状に形成されている。そして、図６で詳細に示すように、その脚部９４が挿通される貫通孔２９も、リールハブ２２の内周面側（以下「外周部」という）２９Ａが直線状とされた平面視略「Ｄ」字状に形成されている。
【００３８】
このような構成にすると、平面視でリールハブ２２の内周面２２Ａと貫通孔２９（外周部２９Ａ）とのマージンを大きく取ることができるので、リールハブ２２の肉厚を内側（リールハブ２２の中心）に向かって厚く成形することが可能となる（図９参照）。したがって、リールハブ２２の剛性を確保することが可能となり、解除部材９０を有する記録テープカートリッジ１０でも、記録容量の高容量化に対応することができる。
【００３９】
なお、リールハブ２２の肉厚を厚くしても、平面視でリールハブ２２の内周面２２Ａと貫通孔２９（外周部２９Ａ）との間には多少のマージンＭ（図６（Ａ）参照）が形成されることが望ましい。このような構成にすれば、解除部材９０をリールハブ２２内に挿設するときの組立適性が確保される。
【００４０】
また、脚部９４の形状は、図５、図６で示す形状に限定されるものではなく、例えば図７で示すように、リールハブ２２の内周面２２Ａと対向する外面９４Ａ側が、リールハブ２２の内周面２２Ａと平行な曲面とされた（同心円弧面とされた）平面視略「Ｄ」字状に形成してもよい。この場合、当然ながら、貫通孔２９の形状も、その脚部９４が挿通可能なように、外周部２９Ａが、リールハブ２２の内周面２２Ａと平行な曲線状とされた平面視略「Ｄ」字状に形成される。
【００４１】
また更に、脚部９４の形状は、例えば図８で示すように、リールハブ２２の内周面２２Ａと対向する外面９４Ａ側の曲率半径Ｒ１が、内面９４Ｂ側の曲率半径Ｒ２の２倍以上（Ｒ１≧２×Ｒ２）とされた平面視略「Ｄ」字状に形成してもよい。この場合、当然ながら、貫通孔２９の形状も、その脚部９４が挿通可能なように、外周部２９Ａの曲率半径Ｒ１が、リールハブ２２の中心側（以下「内周部」という）２９Ｂの曲率半径Ｒ２の２倍以上（Ｒ１≧２×Ｒ２）とされた、同じ平面視略「Ｄ」字状に形成される。
【００４２】
なお、この場合、貫通孔２９の外周部２９Ａ（脚部９４の外面９４Ａ）の曲率半径Ｒ１とされた円弧の中心Ｏは、平面視でリールハブ２２の中心と、貫通孔２９の内周部２９Ｂの中心とを結んだ仮想線Ｋ（図６（Ｂ）、図８（Ｂ）参照）上に存在するように構成することが望ましい。このような構成にすると、貫通孔２９（脚部９４）の形状が、平面視で、その仮想線Ｋを中心とした線対称となるので、意匠的に好ましい。
【００４３】
何れにしても、上記したように貫通孔２９の外周部２９Ａを曲線状に形成すると、貫通孔２９において、外周部２９Ａと内周部２９Ｂの境界部分である両端のエッジ２９Ｃが、外周部２９Ａが直線状とされたときよりもリールハブ２２の中心側にずれることになる（リールハブ２２の内周面２２Ａとエッジ２９Ｃとの間のマージンが大きくなる）ので、リールハブ２２の肉厚を更に厚く成形することができる利点がある。
【００４４】
また、脚部９４及び貫通孔２９を、上記のような平面視略「Ｄ」字状に形成しても、その脚部９４の内面９４Ｂ及び貫通孔２９の内周部２９Ｂは、平面視で、今まで通りの曲率半径Ｒ２とされた円弧面（曲面）のままなので、金型の加工が容易にでき、成形性（樹脂材の流動性）が損なわれる不具合もない。
【００４５】
以上のような構成の記録テープカートリッジ１０において、次に、その作用について説明する。上記構成の記録テープカートリッジ１０では、不使用時（保管時や運搬時等）には、開口１８がドア５０によって閉塞されている。そして、記録テープＴがリール２０のリールハブ２２に巻装されている。
【００４６】
ここで、解除部材９０の脚部９４は、図５、図６で示すように、リールハブ２２の内周面２２Ａに対向する外面９４Ａ側が平面とされた平面視略「Ｄ」字状に形成され、かつ、その脚部９４が挿通される貫通孔２９も、同様の平面視略「Ｄ」字状に形成されている。したがって、図９で示すように、リールハブ２２の肉厚が従来よりも厚く成形され、その剛性が高められている。よって、記録テープＴの巻量が増加されても、リールハブ２２の内側への倒れ込み変形が防止される。
【００４７】
なお、貫通孔２９の外周部２９Ａ（脚部９４の外面９４Ａ）は、図８で示すように、内周部２９Ｂ（内面９４Ｂ）よりも曲率半径の大きい、即ち内周部２９Ｂ（内面９４Ｂ側）の曲率半径Ｒ２の２倍以上とされた曲率半径Ｒ１の円弧面、好ましくは図７で示すように、リールハブ２２の内周面２２Ａと平行な円弧面に形成してもよい。このような構成にすれば、外周部２９Ａ（外面９４Ａ）が直線状（平面）とされた場合よりも、エッジ２９Ｃ（エッジ９４Ｃ）部分をリールハブ２２の中心側へずらすことができるので、リールハブ２２の肉厚を更に厚く成形することができる。
【００４８】
さて、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材（図示省略）が、ドア５０の凸部５６に係合する。そして、この状態で、記録テープカートリッジ１０が更に矢印Ａ方向へ移動すると、開閉部材が凸部５６をコイルばね５８の付勢力に抗しつつ相対的に後方へ移動させる。すると、その凸部５６が突設されているドア５０は、右壁１２Ｂに沿って溝部６４内を後側へ摺動し、開口１８を開放する。
【００４９】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に精確に位置決めされ、ドア５０のそれ以上の摺動（後方への移動）が規制される。
【００５０】
また、図９で示すように、この記録テープカートリッジ１０の下降動作によって、回転シャフト１００が相対的にギア開口４０から進入し、駆動ギア１０２をリールギア４４に噛合させる。すると、その駆動ギア１０２がリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００５１】
そして、駆動ギア１０２とリールギア４４とが完全に噛合した状態で、リールプレート４６が、駆動ギア１０２の内側に設けられた環状のマグネット（図示省略）の磁力によって吸着・保持されることにより、リール２０は、駆動ギア１０２に対するリールギア４４の噛合が維持されつつ、ケース１２内で、そのケース１２に対して相対回転可能となるロック解除状態とされる（図９（Ｂ）参照）。
【００５２】
一方、開放された開口１８からは、ドライブ装置側に設けられた引出部材（図示省略）がケース１２内に進入し、ピン保持部３６に位置決め保持されたリーダーピン３０を把持して引き出す。なお、このとき、記録テープカートリッジ１０はドライブ装置内において精確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５３】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５４】
情報の記録や再生が終了した記録テープカートリッジ１０をドライブ装置から排出する際には、まず、回転シャフト１００が逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材（図示省略）が位置決め用の穴部（図示省略）から抜き出されるとともに、回転シャフト１００がギア開口４０から抜き出され、リールギア４４に対する駆動ギア１０２の噛合が解除される。
【００５５】
すると、圧縮コイルスプリング９８の付勢力により、制動部材８０及び解除部材９０が下方に向かって押圧され、脚部９４が貫通孔２９に挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり（図９（Ａ）参照）、その後、記録テープカートリッジ１０は、図示しないイジェクト機構によって矢印Ａ方向とは反対方向に移動される。
【００５６】
すると、この移動に伴って、ドア５０はコイルばね５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００５７】
以上、説明したように、解除部材９０の脚部９４の形状及びリールハブ２２の底壁２８に穿設する貫通孔２９の形状を、リールハブ２２の内周面２２Ａと対向する外面９４Ａ側が平面（又は内面９４Ｂ側の曲率半径Ｒ２の２倍以上とされた曲率半径Ｒ１の曲面、好ましくはリールハブ２２の内周面２２Ａと平行な曲面）とされた平面視略「Ｄ」字状に形成したので、リールハブ２２の肉厚を従来よりも厚く成形することができる。
【００５８】
よって、リールハブ２２の剛性を高めることができ、リールハブ２２の倒れ込み変形を防止することができる。つまり、記録容量の高容量化に充分に対応可能な記録テープカートリッジ１０を得ることができる。また、脚部９４の内面９４Ｂ及び貫通孔２９の内周部２９Ｂは、今まで通りの曲率半径Ｒ２とされた円弧面（曲面）なので、解除部材９０及びリールハブ２２（下フランジ２６）の成形時に、その中央部分から外方へ向かって流される樹脂材の流動性（成形性）が損なわれる不具合もない。
【図面の簡単な説明】
【００５９】
【図１】記録テープカートリッジの概略斜視図
【図２】記録テープカートリッジを上から見た場合の概略分解斜視図
【図３】記録テープカートリッジを下から見た場合の概略分解斜視図
【図４】ドアとケースの開口部分を示す概略斜視図
【図５】解除部材の概略底面図
【図６】（Ａ）リールハブの概略平面図、（Ｂ）リールハブの概略底面図
【図７】（Ａ）解除部材の一部概略底面図、（Ｂ）リールハブの一部概略底面図
【図８】（Ａ）解除部材の一部概略底面図、（Ｂ）リールハブの一部概略底面図
【図９】（Ａ）回転シャフトの駆動ギア噛合前の記録テープカートリッジを示す概略側断面図、（Ｂ）回転シャフトの駆動ギア噛合後の記録テープカートリッジを示す概略側断面図
【符号の説明】
【００６０】
１０  記録テープカートリッジ
１２  ケース
２０  リール
２２  リールハブ
２４  上フランジ
２６  下フランジ
２８  底壁（底部）
２９  貫通孔
２９Ａ  外周部
２９Ｂ  内周部
２９Ｃ  エッジ
３０  リーダーピン
４４  リールギア
４８  係合ギア（係合部）
５０  ドア
８０  制動部材
８２  解除突起
８４  制動ギア
９０  解除部材
９２  貫通孔
９４  脚部
９４Ａ  外面
９４Ｂ  内面
９４Ｃ  エッジ
１００  回転シャフト
１０２  駆動ギア
【図１】
2006228350.tif 000003
【図２】
2006228350.tif 000004
【図３】
2006228350.tif 000005
【図４】
2006228350.tif 000006
【図５】
2006228350.tif 000007
【図６】
2006228350.tif 000008
【図７】
2006228350.tif 000009
【図８】
2006228350.tif 000010
【図９】
2006228350.tif 000011